(57)【特許請求の範囲】
【請求項１】
ハウジングと、
該ハウジングに設けられ、中空の射出口が形成され、該射出口においてビットを案内可能に支持するノーズ部と、
該ビットを駆動させる駆動機構と、
該ノーズ部に連結され、互いに連結された多数の留具を収容するマガジンと、を備え、
留具は該マガジンから該射出口内に供給され該ビットの駆動によって該射出口から打ち出される打込機であって、
該ハウジング外面又は該マガジン外面には、回転部材と、該回転部材を回転可能に支承する回転部材支承部とが設けられ、
該回転部材の周面は、留具が打込まれる被打込材に接触可能な接触部と、１つ設けられるか又は該周面の周方向に等間隔で複数設けられ、該被打込材の表面に接触することにより該被打込材の表面にマーキング可能なマーキング手段と、を有し、
該回転部材は、略円柱形状部材であり、
該回転部材支承部には、互いに異なる直径を有する複数の該略円柱形状部材のうちの一の該略円柱形状部材を選択的に着脱可能であることを特徴とする打込機。
【請求項２】
該マーキング手段は、接触部よりも該回転部材の外方へ突出する突出部からなることを特徴とする請求項１記載の打込機。
【請求項３】
該マーキング手段は、顔料もしくは染料が含浸したペン先からなることを特徴とする請求項１記載の打込機。
【請求項４】
該マガジンの外面は、該被打込材に対して該留具を打込む際に該被打込材に対して該射出口と共に対向する被打込材対向面を有し、該回転部材支承部は該被打込材対向面に固定されていることを特徴とする請求項１記載の打込機。
【請求項５】
該回転部材支承部は、該ハウジングの反ノーズ部側に設けられていることを特徴とする請求項１記載の打込機。
【請求項６】
該回転部材及び該回転部材支承部は、該ハウジング外面又は該マガジン外面に対して着脱可能であることを特徴とする請求項１記載の打込機。
【請求項７】
該回転部材及び該回転部材支承部を収容可能な収容部を有していることを特徴とする請求項１記載の打込機。
【請求項８】
該回転部材支承部には、被打込材の端縁に案内される移動ガイドが設けられていることを特徴とする請求項１記載の打込機。
【発明の詳細な説明】
【技術分野】
【０００１】
本発明は打込機に関し、特に、所定間隔で留具を打込むための打込機に関する。
【背景技術】
【０００２】
打込機としては、ハウジングの先端部に取り付けたノーズ部に形成されている射出口内に供給されたネジを、射出口内で推進駆動されるとともに回転駆動されるドライバビットによって、ノーズ部の先端に対向配置された被打込材へ向けて打ち出すネジ打機が知られている。このようなネジ打機では、ノーズ部の後方側に連結された円筒状のマガジン内に、コイル状に巻回された連結ネジが収納されており、マガジン内の連結ネジを供給する機構により連結ネジを順次射出口内へ供給可能である。そして、ハウジングに一体に形成されたハンドルの基部に設けられているトリッガを操作することによってドライバビットを連続的に作動させて、ネジを連続的に被打込材へ打ち込むことができる。
【０００３】
このようなネジ打機によって住宅建築においてフローリングや壁材等の貼り付け施工する場合、例えば１００ｍｍや１５０ｍｍ等の所定間隔でネジを打込み施工するように定められた施工基準がある。このような基準に基づいて所定間隔で釘やネジを打込んで施工する場合には、先ず施工箇所に振り下げや墨出器を使用して基準線を引き、次に、コンベックス等を使用して基準寸法毎の等間隔の目印をつけて、この目印位置へネジ打機の射出口先端をあてがってネジの打ち込み施工を行っていた。このようにネジ打込み施工の度に基準寸法に従った目印を付ける作業を行うため、この作業が煩わしく面倒でありネジ打込みの施工たるファスナ施工の作業性が損なわれるという問題が生じていた。
【０００４】
この問題を解消するために、マガジンの下面から被打込材の方向へ尖端部が突出する凸目印表示手段を設けたネジ打機が提案されている（特許文献１)。このネジ打機によるネジの打込み操作時には、凸目印表示手段の尖端部を被打込材の表面に対して押圧することにより、被打込材の表面において現在打ち込んでいるネジの位置から所定間隔離れた位置に、次のネジの打込み位置を刻印表示させることができる。即ち、直前のネジ打ち込み位置から所定間隔離間した位置に、次のネジを打ち込むことができるように構成されている。
【０００５】
上述のネジ打機によるネジ打ち作業は、常にノーズに対してマガジンが設けられている側たる後方側に向けてネジ打機を動かしながら行う必要がある。しかし、本体をマガジンに対してノーズが設けられている側たる前方側に動かしながら行う場合には、ネジの打込み位置を刻印表示できないという問題が生ずる。そこで、マガジンに所定間隔の目印を設け、先に打込んだネジを当該目印に合わせることで、前方側へ所定のピッチで次のネジを打込み可能とする構造が提案されている（特許文献２)。
【０００６】
また、打込機に照射位置を調整可能なレーザー照射装置を設け、被打込材にレーザー照射されたスポットを、既に先に打込まれたネジに合わせることにより、所定のピッチで次のネジを打込み可能とする構成の打込機が提案されている（特許文献３)。
【先行技術文献】
【特許文献】
【０００７】
【特許文献１】特許第３９５６７９８号公報
【特許文献２】特開２００６−７３４５号公報
【特許文献３】特開２００６−２３９７８３号公報
【発明の概要】
【発明が解決しようとする課題】
【０００８】
しかし、前記特許文献２に記載のネジ打機では、ネジ打機を前方へ移動して打ち込む場合には都合がよいが、壁の上部などに対してネジの打込み作業を行うときには、マガジンに対してノーズ部を鉛直上方に位置させた姿勢を維持しながら水平方向へネジ打機を移動させながら打込みを行うため、目印を使用することが出来ない。
【０００９】
また、前記特許文献３に記載のネジ打機においては、レーザーの照射装置等の光学的手段によって作られたスポットは、当該照射装置を取り付けたネジ打機の傾斜の影響を受け易い。ネジ打機のように作業者が手で保持して使用する工具においては、ネジ打機を一定の角度に保ちながら使用し続けることは困難であり、スポットを直前に打ち込まれたネジに合わせるのは困難であり、作業スピードの低下を招いていた。
【００１０】
そこで、本発明は、打込機の移動方向に関係なく、所定の間隔でのネジ等の留具の打込み作業を容易にかつスピーディに行うことができる打込機を提供することを目的とする。
【課題を解決するための手段】
【００１１】
上記目的を達成するために、本発明は、ハウジングと、該ハウジングに設けられ、中空の射出口が形成され、該射出口においてビットを案内可能に支持するノーズ部と、該ビットを駆動させる駆動機構と、該ノーズ部に連結され、互いに連結された多数の留具を収容するマガジンと、を備え、留具は該マガジンから該射出口内に供給され該ビットの駆動によって該射出口から打ち出される打込機であって、該ハウジング外面又は該マガジン外面には、回転部材と、該回転部材を回転可能に支承する回転部材支承部とが設けられ、該回転部材の周面は、留具が打込まれる被打込材に接触可能な接触部と、１つ設けられるか又は該周面の周方向に等間隔で複数設けられ、該被打込材の表面に接触することにより該被打込材の表面にマーキング可能なマーキング手段と、を有し、該回転部材は、略円柱形状部材であり、該回転部材支承部には、互いに異なる直径を有する複数の該略円柱形状部材のうちの一の該略円柱形状部材を選択的に着脱可能であることを特徴とする打込機を提供している。
【００１２】
該ハウジング外面又は該マガジン外面には、回転部材と、該回転部材を回転可能に支承する回転部材支承部とが設けられ、該回転部材の周面は、留具が打込まれる被打込材に接触可能な接触部と、１つ設けられるか又は該周面の周方向に等間隔で複数設けられ、該被打込材の表面に接触することにより該打込材の表面にマーキング可能なマーキング手段と、を有するため、回転部材の周面を被打込材の表面に対して接触させた状態で回転部材を被打込材の表面上において転がすことにより、マーキング手段によって被打込材の表面に等間隔にマーキングすることができる。従って、留具の打込み作業はマーキングを狙うようにして行うことができる。このため、次の留具の打込位置を決定するために、1本前に打った留具の位置を探る必要がなくなり、連続的でスピーディな打込み作業を可能とすることができる。また、該回転部材は、略円柱形状部材であり、該回転部材支承部には、互いに異なる直径を有する複数の該略円柱形状部材のうちの一の該略円柱形状部材を選択的に着脱可能であるため、略円柱形状部材を適宜選択することにより、マーキングする間隔を所望の間隔とすることができる。
【００１３】
また、打込み作業時に打込機が移動する方向が所定の方向ではない場合に、所定の間隔を計測不能となる不具合を解消できる。よって、所定の間隔で釘やネジ等の留具を打込む打込みの施工を、打込機の移動方向に関係なく、またスピーディに行うことができる。
【００１４】
ここで、該マーキング手段は、接触部よりも該回転部材の外方へ突出する突出部からなることが好ましい。該マーキング手段は、接触部よりも該回転部材の外方へ突出する突出部からなるため、突出部が被打込材に押圧されることにより被打込材の表面に等間隔で凹みを刻印することができる。
【００１５】
また、該マーキング手段は、顔料もしくは染料が含浸したペン先からなることが好ましい。該マーキング手段は、顔料もしくは染料が含浸したペン先からなるため、ペン先が被打込材に接触することにより被打込材の表面に等間隔で顔料もしくは染料によるマーキングを施すことができる。また、刻印によってマーキングを施す場合と比較して、被打込材に回転部材を押付ける力が小さくて済み、操作性を向上させることができ、また、被打込材に対して傷を付けることを避けることができる。
【００１６】
また、該マガジンの外面は、該被打込材に対して該留具を打込む際に該被打込材に対して該射出口と共に対向する被打込材対向面を有し、該回転部材支承部は該被打込材対向面に固定されていることが好ましい。
【００１７】
該マガジンの外面は、該被打込材に対して該留具を打込む際に該被打込材に対して該射出口と共に対向する被打込材対向面を有し、該回転部材支承部は該被打込材対向面に固定されているため、射出口及び被打込材対向面を被打込材に対向配置させた状態で、打込機を被打込材の表面に沿って、射出口から被打込材対向面へと向かう方向へ移動させるか又は被打込材対向面から射出口へと向かう方向へ移動させることにより、マーキング手段によって被打込材の表面に等間隔にマーキングすることができる。
【００１８】
また、該回転部材支承部は、該ハウジングの反ノーズ部側に設けられていることが好ましい。該回転部材支承部は、該ハウジングの反ノーズ部側に設けられているため、高所に位置する壁等に打込を行う際の打込み作業を容易とすることができる。
【００１９】
また、該回転部材及び該回転部材支承部は、該ハウジング外面又は該マガジン外面に対して着脱可能であることが好ましい。該回転部材及び該回転部材支承部は、該ハウジング外面又は該マガジン外面に対して着脱可能であるため、マーキング作業を行う必要のないときに、回転部材及び回転部材支承部をハウジング外面又はマガジン外面から取り外しておくことができる。
【００２０】
また、該回転部材及び該回転部材支承部を収容可能な収容部を有していることが好ましい。該回転部材及び該回転部材支承部を収容可能な収容部を有しているため、マーキング作業を行う必要のないときに、回転部材及び回転部材支承部を収容部内に収容しておくことができ、該回転部材及び該回転部材支承部を保護することができる。
【００２３】
また、該回転部材支承部には、被打込材の端縁に案内される移動ガイドが設けられていることが好ましい。該回転部材支承部には、被打込材の端縁に案内される移動ガイドが設けられているため、移動ガイドを被打込材の端縁に沿って移動することで移動ガイド及び打込機を端縁に沿って移動させることができる。この結果、被打込材の端縁が直線状をなしていれば、一直線状にマーキングをすることができる。
【発明の効果】
【００２４】
以上より本発明は、ネジ打機等の打込機の移動方向に関係なく、所定の間隔でのネジの打込み等の作業を容易にかつスピーディに行うことができる打込機を提供することができる。
【図面の簡単な説明】
【００２５】
【図１】本発明の実施の形態による打込機を示す側方部分断面図。
【図２】本発明の実施の形態による打込機の第１ローラ、第２ローラ、第３ローラ、及びブラケットを示す図であり、（ａ）は第１ローラの側面図、（ｂ）は（ａ）のｂ−ｂ線に沿った断面図、（ｃ）は第２ローラの側面図、（ｄ）は（ｃ）のｄ−ｄ線に沿った断面図、（ｅ）は第３ローラの側面図、（ｆ）は（ｅ）のｆ−ｆ線に沿った断面図。
【図３】本発明の実施の形態による打込機で被打込材に対してマーキングしている様子を示す側面図。
【図４】本発明の実施の形態による打込機の第一の変形例を示す平面図であり、（ａ）はマーキングをする状態を示す図、（ｂ）はマーキングをしない状態を示す図。
【図５】本発明の実施の形態による打込機の第一の変形例を示す側方部分断面図であり、（ａ）はマーキングをする状態を示す図、（ｂ）はマーキングをしない状態を示す図。
【図６】本発明の実施の形態による打込機の第二の変形例を示す側方部分断面図。
【図７】本発明の実施の形態による打込機の第２ローラ及びブラケットの第三の変形例を示す図であり、（ａ）は第２ローラの側面図、（ｂ）は（ａ）のｂ−ｂ線に沿った断面図。
【図８】本発明の実施の形態による打込機の第２ローラ及びブラケットの第四の変形例を示す図であり、（ａ）は第２ローラの側面図、（ｂ）は（ａ）の第２ローラの部分断面図。
【発明を実施するための形態】
【００２６】
本発明の実施の形態による打込機について図１乃至図３を参照しながら説明する。図１に示す打込機たるネジ打機１は、石膏ボードに留具たるネジを打込むネジ止め施工に使用される工具であり、動力源としては圧縮空気が用いられる。以下の説明においては、図１の右から左へと向かう方向を前方と定義し、その反対の方向を後方と定義する。また、図１の上方側を上方と定義し、下方を下方と定義する。また、図１の紙面の裏から表へと向かう方向を左方向と定義し、図１の紙面の表から裏へと向かう方向を右方向と定義して説明する。
【００２７】
ネジ打機１は、フレーム２とフレーム２の一方に位置するハンドル２Ａとが一体に設けられており、フレーム２の下端にはノーズ部３が連結されている。フレーム２及びハンドル２Ａはハウジングを構成する。ネジ打機１のハンドル２Ａ及びフレーム２内には、図示せぬ圧縮機からの圧縮空気を蓄積するための蓄圧室２ａが形成されている。蓄圧室２ａは、ハンドル２Ａの後端部に接続される図示せぬエアホースを介して図示せぬ圧縮機に接続される。
【００２８】
フレーム２内には円筒状のシリンダ５が設けられている。シリンダ５内には、シリンダ５に対して上下に摺動可能にピストン４Ａが設けられており、ピストン４Ａにはドライバビット４Ｂが一体に設けられている。
【００２９】
シリンダ５下端外周にはドライバビット４Ｂを上死点に復帰させるための圧縮空気を貯める戻り室５ａが設けられている。シリンダ５には空気通路が形成されており、空気通路には逆止弁５Ａが設けられている。逆止弁５Ａによって、空気通路を通してシリンダ５内からシリンダ５外の戻り室５ａへの一方向にのみ空気を流通可能である。またシリンダ５には、戻り室５ａに常時開放されている空気通路５ｃが形成されている。またシリンダ５下端にはネジ１０打ち込み後のピストン４Ａの余剰エネルギーを吸収するためのピストンバンパ６が設けられている。
【００３０】
ハンドル２Ａの基部には、作業者によって操作されるトリガ１２と、トリガ１２に回動可能に装着されたトリガアーム１３と、ノーズ部３の下端から突き出すと共にトリガアーム１３近傍まで延び、フレーム２からノーズ部３へ向かう方向に付勢されてノーズ部３に沿って上下に移動可能なプッシュレバー１４と、トリガバルブ部１５と、トリガアーム１３の動作をトリガバルブ部１５に伝えるプランジャ１６とが設けられている。
【００３１】
トリガ１２の引き操作と、プッシュレバー１４の図示せぬ被打込材への押し当て操作との両方が同時に行われたときに、トリガアーム１３とトリガ１２のリンク機構によってトリガバルブ部１５のプランジャ１６が押し上げられるように構成されている。
【００３２】
シリンダ５の上方にはシリンダ５への圧縮空気の流入と連動して回転するエアモータ４１と、エアモータ４１の回転を減速するギア４２と、ギア４２の回転をピストン２７に転達するスピンドル４３とが配置されている。スピンドル４３には、ピストン上部を形成するスライダ４４がスプライン結合しており、この構成によりエアモータ４１の回転がピストン２７、及びドライバビット４Ｂに伝達され、後述の射出口内を下方へ推進するドライバビット４Ｂを回転駆動させ、ネジに係合しネジを下方へ回転推進させるように構成されている。
【００３３】
ノーズ部３には、上下方向に延び射出口を有する図示せぬ射出通路が形成されている。またノーズ部３には、射出通路内にネジを供給すると共に、ネジが複数本連結されて連結ネジとされコイル状に巻回された状態で収容される略円筒状のマガジン７Ａを有するマガジン装置７が接続されている。マガジン７Ａは、その軸方向が略上下方向に指向している。ノーズ部４とマガジン７Ａとの間には、スクリューガイド７Ｂ及び図示せぬフィードピストンにより構成される供給機構が設けられており、供給機構によってマガジン装置７内の連結ネジがスクリューガイドに沿ってノーズ部の射出口内へ順次供給されるように構成されている。
【００３４】
図２に示すように、マガジン７Ａにはレール部７１が設けられている。レール部７１は、ネジ打機１によって釘を打込む際に被打込材の表面に対向配置されるマガジン７Ａの底面に設けられており、前後方向に延出し、延出方向に直交する断面で切った断面形状は、図２（ｂ）に示すように、略Ｔ字形状をしている。
【００３５】
レール部７１には回転部材支承部たるブラケット７２が保持されている。ブラケット７２はその上部がレール部７１に係合しており、レール部７１に沿って後方へブラケット７２をスライドすることにより、レール部７１に対してブラケット７２を取り外すことができるように構成されている。また、マガジン７Ａの底面には、マガジン７Ａの底面から突出し上方へ押し上げることにより突出量が減少するラッチ７３が設けられている。ラッチ７３がマガジン７Ａの底面から突出してブラケット７２の後部に当接し、レール部７１に沿ってブラケット７２が後方へ移動することを防止する抜け止をなしている。ラッチ７３を押し込むことでブラケット７２の後部に当接しなくなり抜け止めが解除され、ブラケット７２をマガジン７Ａから外すことが可能となる。
【００３６】
ブラケット７２は、下方へ開口を有する略コの字形状をなしており、当該コの字の開口を塞ぐようにして、回転部材たる第１ローラ８１がブラケット７２に対して回転可能にブラケット７２に支承されている。
【００３７】
具体的には第１ローラ８１は、左右方向に指向してブラケット７２に支承された回転軸８１Ａと、当該回転軸８１Ａと同軸的な位置関係で回転軸８１Ａと一体で回転可能な略円柱形状をしたローラ部８１Ｂとを有している。ローラ部８１Ｂの周面には、ゴムからなる接触部８１Ｃが設けられている。回転軸８１Ａの両端部にはＯリング８１Ｄが設けられている。Ｏリング８１Ｄはブラケット７２と接触しており、第１ローラ８１に外部から力が作用していない状態では、第１ローラ８１は自由に回転することができないように構成されている。Ｏリング８１Ｄを外し、回転軸８１Ａを抜くことで、第１ローラ８１をブラケット７２から外して、後述の第２ローラ８２、第３ローラ８３と交換可能である。
【００３８】
接触部８１Ｃの周面には接触部８１Ｃの周面から外方へ突出する突出部８１Ｅが設けられている。突出部８１Ｅは、その直径が２ｍｍ程度であり打込むネジの頭部の直径たる８ｍｍよりも小さく、接触部８１Ｃ及びローラ部８１Ｂに形成された穴に圧入されて１つ設けられている。図３に示すように、第１ローラ８１を被打込材Ｂの表面に押し付けながらネジ打機１を前方向又は後方向へ移動させることにより、突出部８１Ｅが被打込材Ｂの表面に食い込み刻印がなされ、接触部８１Ｃの円周の長さに等しい間隔でマーキングすることができるように構成されている。具体的には、ローラ部８１Ｂの外径Ｄは３２ｍｍであり、所定の間隔たるピッチＬ略１００ｍｍで打刻可能である。
【００３９】
第２ローラ８２は、図２（ｃ）、（ｄ）に示すように外径Ｄ２が３８ｍｍであり、第１ローラ８１よりも外径が大きい点のみにおいて第１ローラ８１と異なっており、これ以外の構成は第１ローラ８１と同一である。また、第３ローラ８３は、突出部８１Ｅに代えて顔料もしくは染料が含浸したペン先８３Ｅにより構成され、当該ペン先８３Ｅはバネ８３Ｆによってローラ部８１Ｂ及び接触部８１Ｃの外方へ付勢されている点のみにおいて第２ローラ８２と異なっており、これ以外の構成は第２ローラ８２と同一である。
【００４０】
マガジン７Ａの底面に、マーキング手段たる突出部８１Ｅ又はペン先８３Ｅが設けられた回転部材、円柱形状部材たる第１ローラ８１〜第３ローラ８３の内のいずれか一つとブラケット７２とが設けられているため、第１ローラ８１〜第３ローラ８３を被打込材Ｂの表面に対して接触させた状態で第１ローラ８１〜第３ローラ８３を被打込材Ｂの表面上において転がすことにより、マーキング手段によって被打込材Ｂの表面に等間隔にマーキングすることができる。従って、留具たるネジの打込み作業はマーキングを狙うようにして行うことができる。このため、次のネジの打込位置を決定するために、1本前に打ったネジの位置を探る必要がなくなり、連続的でスピーディな打込み作業を可能とすることができる。
【００４１】
また、打込み作業時にネジ打機１が移動する方向が前方向や後方向といった所定の方向ではない場合に、ネジが打込まれる所定の間隔を計測不能となる不具合を解消できる。よって、所定の間隔でネジを打込む打込みの施工を、ネジ打機１の移動方向に関係なく、またスピーディに行うことができる。
【００４２】
また、マーキング手段は、接触部８１Ｃよりも第１ローラ８１の外方へ突出する突出部８１Ｅからなるため、突出部８１Ｅが被打込材Ｂに押圧されることにより被打込材Ｂの表面に等間隔で凹みを刻印することができる。また、該マーキング手段は、顔料もしくは染料が含浸したペン先８３Ｅからなるため、ペン先８３Ｅが被打込材Ｂに接触することにより被打込材Ｂの表面に等間隔で顔料もしくは染料によるマーキングを施すことができる。また、刻印によってマーキングを施す場合と比較して、被打込材Ｂに回転部材を押付ける力が小さくて済み、操作性を向上させることができ、また、被打込材Ｂに対して傷を付けることを避けることができる。
【００４３】
また、マガジン７Ａの外面は、該被打込材Ｂに対して該ネジを打込む際に該被打込材Ｂに対して該射出口と共に対向する被打込材対向面たる底面を有し、ブラケット７２は底面に固定されているため、射出口及び底面を被打込材Ｂに対向配置させた状態で、打込機を被打込材Ｂの表面に沿って、射出口からマガジン７Ａへと向かう方向へ移動させるか又はマガジン７Ａから射出口へと向かう方向へ移動させることにより、マーキング手段によって被打込材Ｂの表面に等間隔にマーキングすることができる。
【００４４】
また、ブラケット７２は該マガジン７Ａの底面に対して着脱可能であるため、マーキング作業を行う必要のないときに、回転部材たる第１ローラ８１〜第３ローラ８３及びブラケット７２をマガジン７Ａの底面から取り外しておくことができる。
【００４５】
また、該回転部材は、互いに異なる直径を有する第１ローラ８１〜第３ローラ８３として用意され、ブラケット７２には、第１ローラ８１〜第３ローラ８３のうちから一つを選択的に着脱可能であるため、第１ローラ８１〜第３ローラ８３のうちから適宜選択することにより、マーキングする間隔を所望の間隔とすることができる。
【００４６】
本発明の打込機は、上述した実施の形態に限定されず、特許請求の範囲に記載した範囲で種々の変形や改良が可能である。例えば、本実施の形態では、第１ローラ８１〜第３ローラ８３を支承するブラケット７２はマガジン装置７の底面に固定されるように構成されていたが、ブラケットが固定される位置はこの位置に限定されない。
【００４７】
例えば、図４、図５に示すように、打込機たるネジ打機１０１の上端に設けられていてもよい。具体的には、フレーム１０２の上端部には、第１ローラ８１〜第３ローラ８３のうちのいずれか１つを装着可能なブラケット１７２を収容可能な収容部１０２Ｂが設けられており、収容部１０２Ｂ内の上端面には、端部が左右方向に広がった貫通孔１０２ｂが、前後方向へ延出して形成されている。貫通孔１０２ｂは、収容部１０２Ｂ内の空間たる収容空間と収容部１０２Ｂ外部とを連通するように貫通して形成されている。
【００４８】
ブラケット１７２は、図５に示すように、前後方向へ向けてそれぞれ開口する略Ｈ字状をなしており、前側の開口を塞ぐようにして第１ローラ８１〜第３ローラ８３のうちのいずれか１つが、その軸心が上下方向に指向した状態で支承される。後側の開口を画成するブラケット１７２の部分の上部には、上方へ突出する凸部１７２Ａが設けられており、凸部１７２Ａは貫通孔１０２ｂに係合している。凸部１７２Ａは、貫通孔１０２ｂ内を前後方向へ移動可能である。また、凸部１７２Ａの基部は凸部１７２Ａよりも左右方向へ僅かに広がった幅広部１７２Ｂをなしており、幅広部１７２Ｂは、貫通孔１０２ｂの両端部に係合可能である。従って、凸部１７２Ａを下方へ押し込むことにより幅広部１７２Ｂを貫通孔１０２ｂの一端部に係合していない状態とし、凸部１７２Ａを貫通孔１０２ｂ内で貫通孔１０２ｂの一端部から他端部の方向へ移動させ、他端部の位置に至ったときに、凸部１７２Ａの押し込みをやめることにより、幅広部１７２Ｂを貫通孔１０２ｂの他端部に係合させることができるように構成されている。
【００４９】
マーキングを行うときには、当該一端部は貫通孔１０２ｂの後端部に相当し、当該他端部は貫通孔１０２ｂの前端部に相当する。マーキングを行わないときには、当該一端部は貫通孔１０２ｂの前端部に相当し、当該他端部は貫通孔１０２ｂの後端部に相当する。凸部１７２Ａが貫通孔１０２ｂの前端部に係合しているときには、ブラケット１７２の前端部、及びブラケット１７２に支承されている第１ローラ８１〜第３ローラ８３のうちのいずれか１つが、収容部１０２Ｂから前方へ突出している。凸部１７２Ａが貫通孔１０２ｂの後端部に係合しているときには、ブラケット１７２の全体、及びブラケット１７２に支承されているローラ（第１ローラ８１〜第３ローラ８３のうちのいずれか１つ）が、収容部１０２Ｂ内に収容されている。このため、マーキングを行わないときには、ブラケット１７２及びローラ（第１ローラ８１〜第３ローラ８３のうちのいずれか１つ）を保護することができる。
【００５０】
また、ブラケット１７２は、該ハウジングの上端部に設けられているため、高所、例えば天井のすぐ下の壁の部分等に打込を行う際に、天井に収容部１０２Ｂの一部を当接させた状態を維持して天井に沿ってネジ打機１０１を移動させることにより、打込み作業を容易とすることができる。
【００５１】
また、収容部は、ネジ打機の上端部に対して着脱可能としてもよい。具体的には、図６に示すように収容部２０２Ｂは、下方へ開口し開口部にフック２０２Ｄと掛け凸部２０２Ｅとが設けられた略筒状部２０２Ｃと、略筒状部の上端に設けられ収容空間を画成する上部収容部２０２Ｆとを備える。マーキングを行うときには、図６に示すように、フレーム２０２の上端部に形成された２つの凹部にフック２０２Ｄと掛け凸部２０２Ｅとを係合させることにより、収容部２０２Ｂはフレーム２０２の上端部に固定される。マーキングを行わないときには、フレーム２０２の上端部に形成された２つの凹部へのフック２０２Ｄ、掛け凸部２０２Ｅの係合を解除することにより、収容部２０２Ｂはフレーム２０２の上端部から取り外される。
【００５２】
上部収容部２０２Ｆ内の収容空間内から、ブラケット１７２の前端部、及びブラケット１７２に支承されているローラ（第１ローラ８１〜第３ローラ８３のうちのいずれか１つ）が前方へ突出したり収容空間内に収容されたりする構成は、前述の変形例と同様である。
【００５３】
また、ブラケットには、突出部８１Ｅを所定位置に一時的に維持するための構成が設けられてもよい。具体的には、図７に示すように、ブラケット２７２の内側に第２ローラ１８２Ｂに当接する当接部材２７２Ｂ及び当接部材２７２Ｂをローラの方向へ付勢するバネ２７２Ｃを設け、第２ローラ１８２Ｂの端面には凹部１８２ａが形成される。凹部１８２ａに当接部材２７２Ｂが係合することで、突出部８１Ｅを所定の位置に一時的に固定できる。バネ２７２Ｃの付勢力は、第２ローラ１８２Ｂを被打込材Ｂの表面に押し付けながらネジ打機を前方向又は後方向へ移動させることによる第２ローラ１８２Ｂの回転を妨げる程強力ではなく、第２ローラ１８２Ｂは、被打込材Ｂの表面で滑ることなく回転するように構成されている。
【００５４】
また、ブラケットには、被打込材の端縁に沿ってブラケットを案内するための移動ガイドが設けられていてもよい。具体的には、図８に示すように、ブラケット３７２の一部であって回転軸８１Ａを支承している部分は、回転軸８１Ａに直交する方向であってブラケット７２の進む方向及びその反対の方向へ延出する延出部３７２Ａを有している。そして、延出部３７２Ａの延出端部近傍には、図８に示される延出部３７２Ａの当該部分の上端から下方へ向かって延出する穴部が形成されており、当該穴部には、図８（ｂ）に示すような略Ｌ字形状をなす移動ガイド３７４の水平部３７４Ａが貫通している。また、穴部内には固定ネジ３７５が設けられており、固定ネジ３７５の先端は、当該水平部３７４Ａの上端に当接する。固定ネジ３７５によって移動ガイド３７４は、穴部から外れないように構成されている。
【００５５】
また、移動ガイド３７４は、水平部３７４Ａに一体で設けられた垂直部３７４Ｂを有しており、垂直部３７４Ｂの下端は、ブラケット３７２に装着されている第２ローラ８２よりも下方へ延出している。垂直部３７４Ｂを被打込材Ｂたる石膏ボードの端縁に沿わせた状態として、第２ローラ８２を被打込材Ｂの表面に押し付けながらネジ打機を前方向又は後方向へ移動させることにより、石膏ボード上に一直線上に刻印し、マーキングすることができるように構成されている。
【００５６】
ブラケット３７２には、被打込材Ｂの端縁に案内される移動ガイド３７４が設けられているため、移動ガイド３７４を被打込材Ｂの端縁に沿って移動することで移動ガイド３７４、ブラケット３７２及び打込機を端縁に沿って移動させることができる。石ボードの端縁は直線状をなしているので、一直線状にマーキングをすることができる。
【００５７】
また、本実施の形態では、第１ローラ８１〜第３ローラ８３の３種類のローラが用いられたが、３種類に限定されず、また、寸法も本実施の形態の寸法に限定されない。また、第１ローラ８１〜第３ローラ８３には、突出部８１Ｅやペン先８３Ｅは１つのみ設けられていたが、１つに限定されない。例えば、接触部８１Ｃの周面において周方向へ等間隔で複数設けられてもよい。
【００５８】
また、回転部材は第１ローラ８１〜第３ローラ８３により構成されていたが、これらに限定されない。例えば、８角柱状の部材等の角柱状の部材が用いられてもよく、回転部材であればよい。また、被打込材Ｂは石膏ボードであったが、石膏ボードに限定されない。
【００５９】
また、本実施の形態では、打込機はネジ打機１であったが、ネジ打機に限定されない。所定の間隔でネジや釘やステープル等の留具を打込むために用いられる工具であればよい。例えば、シリンダ内で衝撃的に作動されるピストンに連結されたドライバを介して、ノーズ部の射出口内に配置された釘を被打込材Ｂへ打ち込むように構成された釘打機であって、圧縮空気や可燃ガスを燃焼して生成される燃焼ガスによって作動させるようにした釘打機であってもよい。
【００６０】
また、本実施の形態ではブラケット７２及びローラをマガジン７Ａの底面に設け、上述の変形例ではネジ打機のフレーム１０２の上端部に設けたが、この位置に限定されず、打込み作業時の操作性を損なう場所で無ければよい。また、本実施の形態ではマガジン７Ａには、連結ネジがコイル状に巻回された状態で収容されていたが、この構成のものに限定されない。例えば、連結ネジを直線状に収容する直線状マガジンでもよく、また、円筒状をなすマガジンであって、その軸方向が左右方向に平行に配置されたマガジンであってもよい。
【００６１】
また、本実施の形態では、ブラケット７２はマガジン７Ａに対して着脱可能に構成されていたが、着脱可能ではなく、マガジン７Ａに対して着脱不能に構成されてもよい。
【産業上の利用可能性】
【００６２】
本発明の打込機は、打込機の移動方向に関係なく、所定の間隔でのネジ等の留具の打込み作業を行うことが要求される打込機の分野において特に有用である。
【符号の説明】
【００６３】
１、１０１・・・ネジ打機  ２、１０２・・・フレーム  ２Ａ・・・ハンドル  ３・・・ノーズ部  ４Ｂ・・・ドライバビット  ７Ａ・・・マガジン  ７２、１７２、３７２・・・ブラケット  ８１・・・第１ローラ  ８１Ｅ・・・突出部  ８１Ｃ・・・接触部  ８２・・・第２ローラ  ８３・・・第３ローラ  ８３Ｅ・・・ペン先  
【図１】
0005713183.tif 000002
【図２】
0005713183.tif 000003
【図３】
0005713183.tif 000004
【図４】
0005713183.tif 000005
【図５】
0005713183.tif 000006
【図６】
0005713183.tif 000007
【図７】
0005713183.tif 000008
【図８】
0005713183.tif 000009